Podtech/llm-jp-corpus-v4-ja_patent huggingface dataset:
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】  モノクローナル抗体ＡＢ．Ｄ３、またはその抗原結合領域であって、該抗体は、ＡＴＣＣ受託番号ＨＢ−１２６２２を有するハイブリドーマによって産生される、抗体。
【請求項２】  請求項１に記載のモノクローナル抗体またはその抗原結合領域であって、該モノクローナル抗体またはその抗原結合領域は、以下：
（ａ）配列番号２のヒトＴＷＥＡＫポリペプチドに結合すること、
（ｂ）配列番号１のマウスＴＷＥＡＫポリペプチドに結合すること、
（ｃ）細胞表面レセプターへのヒトＴＷＥＡＫ−Ｆｌａｇポリペプチドの結合をブロックすること、および
（ｄ）細胞表面レセプターへのマウスＴＷＥＡＫ−Ｆｌａｇポリペプチドの結合をブロックすること
からなる群より選択される特徴を有する、抗体。
【請求項３】  マウスモノクローナル抗体である、請求項１または２に記載のモノクローナル抗体。
【請求項４】  ヒトモノクローナル抗体である、請求項１または２に記載のモノクローナル抗体。
【請求項５】  キメラモノクローナル抗体である、請求項１または２に記載のモノクローナル抗体。
【請求項６】  ヒト化モノクローナル抗体である、請求項１または２に記載のモノクローナル抗体。
【請求項７】  組換えモノクローナル抗体である、請求項１または２に記載のモノクローナル抗体。
【請求項８】  請求項１または２に記載のモノクローナル抗体を産生する、ハイブリドーマ。
【請求項９】  前記ハイブリドーマが、モノクローナル抗体ＡＢ．Ｄ３を産生し、そして、ＡＴＣＣ登録番号ＨＢ−１２６２２を有する、請求項８に記載のハイブリドーマ。
【請求項１０】  請求項１または２に記載のモノクローナル抗体またはその抗原結合領域、ならびに、薬学的に受容可能なキャリアを含む、組成物。
【請求項１１】  動物における免疫学的障害の発症をブロックするかあるいは該障害の重篤度または効果を処置または減少するための組成物であって、該免疫学的障害は、移植片対宿主病、ＳＬＥ、特発性血小板減少性紫斑病、ヴェゲナー肉芽腫症、結節性多発性関節炎、網膜性のブドウ膜炎、急速進行性半月体糸球体腎炎、多発性硬化症、潰瘍性大腸炎、アレルギー性炎症、喘息、好酸球増加症、グレーヴズ病、シャーガス病、急性溶血性貧血、糖尿病およびクローン病からなる群より選択され、該組成物は、治療上有効な量の抗ＴＷＥＡＫ抗体を含む、組成物。
【請求項１２】  前記免疫学的障害が、多発性硬化症である、請求項１１に記載の組成物。
【請求項１３】  請求項１１または１２に記載の組成物であって、前記動物が哺乳動物である、組成物。
【請求項１４】  請求項１３に記載の組成物であって、前記哺乳動物がヒトである、組成物。
【請求項１５】  前記抗ＴＷＥＡＫ抗体が、モノクローナル抗体である、請求項１１〜１４のいずれか１項に記載の組成物。
【請求項１６】  前記抗ＴＷＥＡＫ抗体が、組換え抗体である、請求項１１〜１４のいずれか１項に記載の組成物。
【請求項１７】  前記抗ＴＷＥＡＫ抗体が、ヒト化抗体である、請求項１１〜１４のいずれか１項に記載の組成物。
【請求項１８】  前記抗ＴＷＥＡＫ抗体が、ヒト化抗体ＡＢ．Ｄ３である、請求項１７に記載の組成物。
【請求項１９】  前記抗ＴＷＥＡＫ抗体が、抗体ＡＢ．Ｄ３可変ドメインを含む、請求項１１〜１４のいずれか１項に記載の組成物。
【請求項２０】  前記抗ＴＷＥＡＫ抗体が、ヒト定常ドメインを含む、請求項１１〜１４のいずれか１項に記載の組成物。
【請求項２１】  前記抗ＴＷＥＡＫ抗体が、ＩｇＧである、請求項１１〜１４のいずれか１項に記載の組成物。
【請求項２２】  前記抗ＴＷＥＡＫ抗体が、非経口、皮下または静脈内の経路による投与に適している、請求項１１〜２１のいずれか１項に記載の組成物。
【請求項２３】  前記抗ＴＷＥＡＫ抗体が、液体組成物としての投与に適している、請求項１１〜２２のいずれか１項に記載の組成物。
【請求項２４】  前記液体組成物が、滅菌の等張性組成物である、請求項２３に記載の組成物。
【請求項２５】  前記抗ＴＷＥＡＫ抗体が、配列番号２のヒトＴＷＥＡＫポリペプチドに結合する、請求項１１〜２１のいずれか１項に記載の組成物。
【請求項２６】  前記抗ＴＷＥＡＫ抗体が、ＨＴ２９細胞に対するヒトＴＷＥＡＫ−Ｆｌａｇポリペプチドの結合をブロックする、請求項２５に記載の組成物。
【請求項２７】  前記抗ＴＷＥＡＫ抗体が、配列番号１のマウスＴＷＥＡＫポリペプチドに結合する、請求項２５に記載の組成物。
【請求項２８】  多発性硬化症の発症をブロックするかあるいは該多発性硬化症の重篤度または効果を処置または減少するための組成物であって、該組成物は、配列番号２のアミノ酸配列を有するヒトＴＷＥＡＫ−Ｆｌａｇポリペプチドに結合する組み換えＩｇＧの治療上有効な量を含む、組成物。
【請求項２９】  前記組換えＩｇＧが、ＨＴ２９細胞へのヒトＴＷＥＡＫ−Ｆｌａｇポリペプチドの結合をブロックする、請求項２８に記載の組成物。
【請求項３０】  前記組換えＩｇＧが、配列番号２のヒトＴＷＥＡＫポリペプチドに結合する、請求項２８に記載の組成物。
【手続補正２】
【補正対象書類名】明細書
【補正対象項目名】００５１
【補正方法】変更
【補正の内容】
【００５１】
ヒトＴＷＥＡＫに対するハムスターモノクローナル抗体（ｍＡｂ）は、ＣＦＡ中の組換え可溶性ヒトＴＷＥＡＫを用いてアルメニアン（ａｒｍｅｎｉａｎ）ハムスターに皮下注射し、次いで追加免疫（ＩＦＡ中の腹腔内注射または皮下注射）することによる、従来の技術を使用して調製される。ハムスター抗ＴＷＥＡＫ  ｍＡｂ  ＡＢ．Ｄ３を産生するハイブリドーマ細胞株（ＡＢ．Ｄ３．７．２）は、ブタペスト条約の規定に従い、Ａｍｅｒｉｃａｎ  Ｔｙｐｅ  Ｃｕｌｔｕｒｅ  Ｃｏｌｌｅｃｔｉｏｎ（ＡＴＣＣ）（Ｒｏｃｋｖｉｌｌｅ、ＭＤ）に、１９９８年１２月１７日に寄託され、そして、ＡＴＣＣ受託番号ＨＢ−１２６２２を付与された。上記のＡＴＣＣ寄託の公への入手可能性の全ての制限は、本出願の特許の認可に際して、変更不可能に除去される。
【手続補正書】
【提出日】平成19年11月5日(2007.11.5)
【手続補正１】
【補正対象書類名】明細書
【補正対象項目名】特許請求の範囲
【補正方法】変更
【補正の内容】
【特許請求の範囲】
【請求項１】
開放可能な蓋を有し、炭酸ガスを含まず、不活性ガスで飽和されているコーヒーおよび茶から選択される飲料を含む容器。
【請求項２】
炭酸ガスを含まず、不活性ガスで飽和されているコーヒーおよび茶から選択されるバルク飲料を含む容器。
【請求項３】
飲料が、さらに、甘味料、乳、乳代用クリーム、安定化剤、抗酸化剤、乳化剤、アルコールおよびフレーバーから選択される１種以上の添加剤を含む請求項１または請求項２記載の容器。
【請求項４】
飲料が、さらに、泡保持剤を含む上記いずれか１つの請求項記載の容器。
【請求項５】
泡保持剤がアルギン酸ポリグリコールまたは微結晶セルロースである請求項４記載の容器。
【請求項６】
蓋として、相対的に弱い線で輪郭を定められた取り除き可能部分とリングまたは他の手に掛けることのできるタブを有する缶またはビンである上記いずれか１つの請求項記載の容器。
【請求項７】
さらに、蓋を開けるときに飲料またはソフトドリンクにガスを吹き込むことのできるインサートを有する上記いずれか１つの請求項記載の容器。
【請求項８】
不活性ガスが窒素である上記いずれか１つの請求項記載の容器。
【請求項９】
飲料がコーヒーである上記いずれか１つの請求項記載の容器。
【請求項１０】
飲料に甘みを加えていない上記いずれか１つの請求項記載の容器。
【請求項１１】
コーヒーおよび茶から選択されるバルク飲料を含み、飲料注ぎ出し手段および注ぎ出す際に不活性ガスを導入する手段を有する容器。
【請求項１２】
飲料が、さらに、甘味料、乳、乳代用クリーム、安定化剤、抗酸化剤、乳化剤、アルコールおよびフレーバーから選択される１種以上の添加剤を含む請求項１１記載の容器。
【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  ダブルエマルション全重量に対して５０〜９５重量％の単分散逆相エマルションＥｉの液滴を連続水相中に分散させてなる分別適性の多分散安定ダブルエマルションであって、
−該連続水相は連続水相全重量に対して１〜１０重量％の多糖増粘剤、エチレンオキシドとプロピレンオキシドからなる界面活性剤としての水溶性序列コポリマー、及び浸透圧平衡剤を含み、
−該エマルションＥｉは連続水相の粘度以下の粘度を備え、かつＥｉ全重量に対して５０〜９５重量％の内水相液滴を油相中に分散させてなり、
−該内水相は１以上の親水性活性物質を含み、
−該油相は界面活性剤としてポリリシノール酸ポリグリセロールを含む
ことを特徴とする、多分散ダブルエマルション。
【請求項２】  ダブルエマルション全重量に対して６０重量％以上のエマルションＥｉ液滴を含むことを特徴とする、請求項１に記載のダブルエマルション。
【請求項３】  浸透圧平衡剤がグルコースであることを特徴とする、請求項１又は２に記載のダブルエマルション。
【請求項４】  多糖増粘剤がアルギン酸塩であることを特徴とする、請求項１〜３のいずれかに記載のダブルエマルション。
【請求項５】  アルギン酸塩がモル質量３０００〜６０００ｇ／ｍｏｌのアルギン酸塩であることを特徴とする、請求項４に記載のダブルエマルション。
【請求項６】  序列コポリマーが一般式
Ｈ−（ＯＣＨ２ＣＨ２）ａ−（Ｏ−ＣＨ（ＣＨ３）−ＣＨ２）ｂ−（ＯＣＨ２ＣＨ２）ａ−ＯＨ    （Ｉ）
（式中、
ａは５０〜１２０の整数であり、また
ｂは２０〜１００の整数である。）
で示されることを特徴とする、請求項１〜５のいずれかに記載のダブルエマルション。
【請求項７】  連続水相が連続水相の全重量に対して１〜５重量％のアルギン酸塩を増粘剤として、また連続水相の全重量に対して３〜１０重量％の、請求項６で定義した式（Ｉ）で示される序列コポリマーを界面活性剤として、それぞれ含むことを特徴とする、請求項６に記載のダブルエマルション。
【請求項８】  アルギン酸塩がモル質量３０００〜６０００ｇ／ｍｏｌのアルギン酸塩であることを特徴とする、請求項７に記載のダブルエマルション。
【請求項９】  連続水相が浸透圧平衡剤としてグルコースを含み、連続水相中のグルコース濃度の内水相中の活性物質濃度に対する比が１．５〜２．５であることを特徴とする、請求項１〜８のいずれかに記載のダブルエマルション。
【請求項１０】  油相が６０〜９９重量％のポリリシノール酸ポリグリセロール及び１〜４０重量％のドデカンを含むことを特徴とする、請求項１〜９のいずれかに記載のダブルエマルション。
【請求項１１】  Ｅｉが６０重量％以上の内水相液滴を含むことを特徴とする、請求項１〜１０のいずれかに記載のダブルエマルション。
【請求項１２】  請求項１〜１１のいずれかに記載の多分散ダブルエマルションを制御せん断にかけて、エマルション全体に同じ最大せん断レベルが適用されるようにすることを特徴とする、水中油中水型の単分散安定ダブルエマルションの調製法。
【請求項１３】  制御せん断が、多分散ダブルエマルションを可動固体表面と接触させることによって行われ、エマルションの流れを特徴付ける速度勾配が該可動固体表面に対して垂直方向において一定であることを特徴とする、請求項１２に記載の方法。
【請求項１４】  せん断レベルの最大値が１〜１．１０５ｓ−１であることを特徴とする請求項１２又は１３に記載の方法。
【請求項１５】  せん断レベルの最大値が１００〜５０００ｓ−１であることを特徴とする請求項１４に記載の方法。
【請求項１６】  せん断が相対回転運動する２個の同軸円筒からなるセルを使用して行われることを特徴とする、請求項１２〜１５のいずれかに記載の方法。
【請求項１７】  せん断が相対振動運動する２個の可動平行板からなるセルを使用して行われることを特徴とする、請求項１２〜１６のいずれかに記載の方法。
【請求項１８】  せん断が相対回転運動する２個の同軸円板からなるセルを使用して行われることを特徴とする、請求項１２〜１７のいずれかに記載の方法。
【請求項１９】  ダブルエマルション全重量に対して５０〜９５重量％の単分散逆相エマルションＥｉの液滴を連続水相中に分散させてなる水中油中水型の単分散安定ダブルエマルションであって、
−該連続水相は連続水相の全重量に対して１〜１０重量％の多糖増粘剤、エチレンオキシドとプロピレンオキシドからなる界面活性剤としての水溶性序列コポリマー、及び浸透圧平衡剤を含み、
−該エマルションＥｉは連続水相の粘度以下の粘度を備え、かつＥｉ全重量に対して５０〜９５重量％の内水相液滴を油相中に分散させてなり、
−該内水相は１以上の親水性活性物質を含み、
−該油相は界面活性剤としてポリリシノール酸ポリグリセロールを含む
ことを特徴とする、単分散ダブルエマルション。
【請求項２０】  エマルションＥｉの液滴の平均粒径が１〜１０μｍであることを特徴とする、請求項１９に記載のエマルション。
【手続補正２】
【補正対象書類名】明細書
【補正対象項目名】００７３
【補正方法】変更
【補正の内容】
【００７３】
本発明によれば粘弾性領域は、貯蔵弾性率（Ｇ’）と損失弾性率（Ｇ’’）の変化を示す次式（１）及び（２）によって限定される。
（１）  １×１０−２ｄｙｎｅ／ｃｍ２（１×１０−３Ｎ／ｍ２）≦（Ｇ’２＋Ｇ’’２）＋１／２≦１×１０８ｄｙｎｅ／ｃｍ２（１×１０７Ｎ／ｍ２）
（２）  Ｇ’／Ｇ’’≧０．０１
この場合、Ｇ’とＧ’’は一次エマルションに適用する予定の最大せん断レベルで測定する。
【手続補正３】
【補正対象書類名】明細書
【補正対象項目名】００７４
【補正方法】変更
【補正の内容】
【００７４】
好ましくは、弾性率Ｇ’及びＧ’’は次の式（３）及び（４）を満足する。
（３）  １ｄｙｎｅ／ｃｍ２（１×１０−１Ｎ／ｍ２）≦（Ｇ’２＋Ｇ’’２）＋１／２≦１×１０４ｄｙｎｅ／ｃｍ２（１×１０３Ｎ／ｍ２）
（４）  ０．１≦Ｇ’／Ｇ’’≦１０
【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】
重量％で、約：２３．５〜２５．５％Ｃｒ、１５．０〜２２．０％Ｃｏ、０．２〜２．０％Ａｌ、０．５〜２．５％Ｔｉ、０．５〜２．５％Ｎｂ、２．０％以下のＭｏ、１．０％以下のＭｎ、０．３〜１．０％Ｓｉ、３．０％以下のＦｅ、０．３％以下のＴａ、０．３％以下のＷ、０．００５〜０．０８％Ｃ、０．０１〜０．３％Ｚｒ、０．００１〜０．０１％Ｂ、０．０５％以下のミッシュメタルとしての希土類、０．００５〜０．０２５％ＭｇおよびＣａ、残部Ｎｉならびに微量添加物および不純物を含んでなる、酸化および硫化環境で耐食性を改善するように、約５３０〜８２０℃の高使用温度でα‐クロミアスケールの保護層を形成する、耐蝕性合金。
【請求項２】
酸化および硫化環境、特に含イオウ煙道ガスおよびディーゼルエンジン排気下で耐食性を改善するように、約５３０〜８２０℃の高使用温度でα‐クロミアスケールの保護層を形成する、Ｎｉ‐Ｃｏ‐Ｃｒ系合金であって、
重量％で：２３．５〜２５．５％Ｃｒ、１５．０〜２２．０％Ｃｏ、０．２〜２．０％Ａｌ、０．５〜２．５％Ｔｉ、０．５〜２．５％Ｎｂ、２．０％以下のＭｏ、１．０％以下のＭｎ、０．３〜１．０％Ｓｉ、３．０％以下のＦｅ、０．３％以下のＴａ、０．３％以下のＷ、０．００５〜０．０８％Ｃ、０．０１〜０．３％Ｚｒ、０．００１〜０．０１％Ｂ、０．０５％以下のミッシュメタルとしての希土類、０．００５〜０．０２５％Ｍｇおよび任意のＣａ、残部Ｎｉならびに微量添加物および不純物から本質的になる、合金。
【請求項３】
下記式：
１．７％＜％Ａｌ＋０．５６ｘ％Ｔｉ＋０．２９ｘＮｂ％＜３．８％
によるγ′およびη相の高温硬化相を形成するように、Ａｌ、ＴｉおよびＮｂ成分がＮｉと反応し、得られる硬化相がＮｉ‐Ｃｏ‐Ｃｒマトリックス内で約１０〜２０容量％を占める、請求項２に記載の合金。
【請求項４】
酸化および硫化環境で耐食性を改善するように、約５３０〜８２０℃の高使用温度でα‐クロミアスケールの保護層を形成する合金から作製された、ディーゼルエンジン用の排気バルブであって、
合金が、重量％で、約：２３．５〜２５．５％Ｃｒ、１５．０〜２２．０％Ｃｏ、０．２〜２．０％Ａｌ、０．５〜２．５％Ｔｉ、０．５〜２．５％Ｎｂ、２．０％以下のＭｏ、１．０％以下のＭｎ、０．３〜１．０％Ｓｉ、３．０％以下のＦｅ、０．３％以下のＴａ、０．３％以下のＷ、０．００５〜０．０８％Ｃ、０．０１〜０．３％Ｚｒ、０．００１〜０．０１％Ｂ、０．０５％以下のミッシュメタルとしての希土類、０．００５〜０．０２５％ＭｇおよびＣａ、残部Ｎｉならびに微量添加物および不純物を含んでなる排気バルブ。
【請求項５】
酸化および硫化環境で耐食性を改善するように、約５３０〜８２０℃の高使用温度でα‐クロミアスケールの保護層を形成する合金から作製された、スチームボイラー用の管であって、
合金が、重量％で、約：２３．５〜２５．５％Ｃｒ、１５．０〜２２．０％Ｃｏ、０．２〜２．０％Ａｌ、０．５〜２．５％Ｔｉ、０．５〜２．５％Ｎｂ、２．０％以下のＭｏ、１．０％以下のＭｎ、０．３〜１．０％Ｓｉ、３．０％以下のＦｅ、０．３％以下のＴａ、０．３％以下のＷ、０．００５〜０．０８％Ｃ、０．０１〜０．３％Ｚｒ、０．００１〜０．０１％Ｂ、０．０５％以下のミッシュメタルとしての希土類、０．００５〜０．０２５％ＭｇおよびＣａ、残部Ｎｉならびに微量添加物および不純物を含んでなる管。
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  実質的に垂直なたて糸及びよこ糸を有する不織布製品を形成するための装置であって、
摩擦の小さい実質的に円筒形の外面を有する実質的に円筒形で細長い支持構造を含むたて糸支持系と、
実質的に円筒形の面の長さ方向に並べて配置され露出した面に接着剤のコーティングを有する細長い平行なたて糸の供給部と、
上記支持構造を中心として上記ドラムを回転させるように装着されたドラムと、該ドラムを上記支持構造を中心として回転させるための動力手段と、上記ドラムにそれとともに回転するように装着された少なくとも１つのよこ糸材料の供給源と、上記ドラムの回転時に上記よこ糸材料が上記たて糸の周りに実質的に垂直な状態で巻付けられるように上記よこ糸材料を上記供給源から接着剤がコーティングされた上記たて糸の外面に移送するための案内系とを含むよこ糸材料の移送系と、
上記たて糸を上記支持構造に沿って上記よこ糸の移送系を通して進めるように上記たて糸に連結されて動作するよこ糸の移送系より下流側の被駆動の巻取り系と、
上記巻付けられたよこ糸材料を上記たて糸に接着するように上記接着剤を活性化するための上記よこ糸の移送系より下流側の加熱器と、
を組合せてなり、上記被駆動の系及び上記ドラムを回転させるための動力手段が独立して動作し、少なくとも一方は、上記たて糸に対するよこ糸材料の巻付けの角度が可変になるように、可変に駆動されるようにしたことを特徴とする不織布製品を形成するための装置。
【請求項２】  上記よこ糸材料の供給源がよこ糸材料のスプールであることを特徴とする請求項１に記載の装置。
【請求項３】  上記ドラムが内面及び外面を有する半径方向壁部と該半径方向壁部に連結され間隔をおいた半径方向のホィールとを有する上記円筒形の支持構造を取り囲む中空リングからなり、上記よこ糸の供給源が上記半径方向壁部の内面に装着されていることを特徴とする請求項１に記載の装置。
【請求項４】  上記供給源の各々からのよこ糸材料が上記半径方向に対して半径方向内方に上記半径方向のホィールに沿って上記円筒形支持構造上のたて糸に供給されるようにしたことを特徴とする請求項３に記載の装置。
【請求項５】  上記半径方向のホィールがさらに上記よこ糸が上記たて糸に巻付けられる前に周囲に延び上記たて糸に近接して配置されたコーン形のアライメントガイドを含むようにしたことを特徴とする請求項３または４に記載の装置。
【請求項６】  上記よこ糸材料が上記たて糸の長さ方向によこ糸の１ｃｍ当たり１６〜４０回（１インチ当たり４０〜１００回）の巻付けを行うように上記たて糸の周りに巻付けられるようにしたことを特徴とする請求項１に記載の装置。
【請求項７】  １層のたて糸と第２の層の実質的に垂直なよこ糸とからなる不織布であって、該不織布における上記たて糸及びよこ糸の少なくとも一方の密度が１ｃｍ当たり１６〜５５本（１インチ当たり４０〜１４０本）の範囲であることを特徴とする不織布。
【請求項８】  上記不織布における上記たて糸及びよこ糸の両方の密度が１ｃｍ当たり１６−４０本（１インチ当たり４０〜１４０本）の範囲であることを特徴とする請求項７に記載の不織布。
【請求項９】  上記たて糸及びよこ糸のデニールが異なることを特徴とする請求項７または８に記載の不織布。
【請求項１０】  上記たて糸及びよこ糸のデニールが同じであることを特徴とする請求項７または８に記載の不織布。
【請求項１１】  １層のたて糸と、一体的に接着された実質的に垂直な１層のよこ糸とからなる不織布であって、接着剤が上記不織布の重量の５〜２０％となるようにしたことを特徴とする不織布。
【請求項１２】  上記不織布における上記たて糸及びよこ糸の少なくとも一方の密度が１ｃｍ当たり１６〜４０回（１インチ当たり４０〜１００本）の範囲であることを特徴とする請求項１１に記載の不織布。
【請求項１３】  上記不織布における上記たて糸及びよこ糸の両方の密度が１ｃｍ当たり１６〜４０本（１インチ当たり４０〜１００本）の範囲であることを特徴とする請求項１２に記載の不織布。
【請求項１４】  上記たて糸及びよこ糸のデニールが異なることを特徴とする請求項１１、１２または１３に記載の不織布。
【請求項１５】  第１の方向のたて糸材料と該たて糸に対して実質的に垂直な方向のよこ糸材料とを有する不織布製品を形成する方法であって、
一方の側に接着剤のコーティングを有する複数の実質的に平行なたて糸を上記第１の方向に縦方向に供給することと、
上記複数のたて糸を、接着剤のコーティングが露出して、細長い実質的に円筒形の支持面の長さに沿って並んだ状態で縦方向に進むように支持することと、
少なくとも１本の個々のよこ糸を、上記たて糸の半径方向に最も外側面に、またその周囲に、実質的に垂直な状態になるように巻付けることと、
上記巻付けのステップの後に下流側で収集するように上記たて糸を支持面に沿って進めることと、
巻付けられたよこ糸をたて糸に接着するように接着剤を加熱し、それによって活性化させることと、
の各ステップからなることを特徴とする不織布製品を形成する方法。
【請求項１６】  上記たて糸の長さ方向によこ糸の１ｃｍ１６〜４０回（１インチ当たり４０〜１００回）の巻付けを行うように上記よこ糸が上記たて糸に巻付けられるようにしたことを特徴とする請求項１５に記載の方法。
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】  モノマーを適する溶媒中でケイ素系官能基保護開始剤以外の有機置換アルカリ金属化合物である単官能価アニオン重合開始剤と接触させることによってモノマーをアニオン重合して、リビングポリマーセメントを生成する方法であって、その改善が、重合中または後に、リビングポリマー鎖末端１当量あたり少なくとも０．０１当量のアルキル金属化合物をセメントに添加することによってポリマーセメントの粘度を低下させることを含み、この場合、アルキル金属化合物のアルキル基は、それらがリビングポリマー鎖末端と交換しないように選択される方法。
【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  高温度で、且つ少なくとも一つの液体溶媒の存在下においてニオビウムチップを粉砕して、ニオビウム粉末を形成することを含む、ニオビウム粉末を製造する方法。
【請求項２】  前記高温度が少なくとも３００°Fである、請求項１の方法。
【請求項３】  前記液体溶媒が、少なくとも一つのグリコールを含む、請求項１の方法。
【請求項４】  前記粉砕がボールミル粉砕である、請求項１の方法。
【請求項５】  高温度で、且つ少なくとも１個の液体溶媒の存在下においてニオビウムチップを粉砕して、ニオビウム粉末を形成し、その後、ニオビウム粉末を脱酸素にかけ、その後、高温度で、且つ少なくとも１個の液体溶媒の存在下において前記ニオビウム粉末の前記粉砕を継続することを含む、ニオビウム粉末製造の方法。
【請求項６】  前記脱酸素がマグネシウム脱酸素である、請求項５の方法。
【請求項７】  高温度で、且つ少なくとも一つの液体溶媒の存在下において金属チップを粉砕して、金属粉末を形成することを含む、金属粉末を製造する方法。
【請求項８】  前記高温度が少なくとも３００°Fである、請求項７の方法。
【請求項９】  前記液体溶媒が、少なくとも一つのグリコールを含む、請求項７の方法。
【請求項１０】  高温度で、且つ少なくとも一つの液体溶媒の存在下においてバルブ金属を粉砕して、バルブ金属粉末を形成し、前記バルブ金属粉末をコンデンサーアノードに形成することを含む、バルブ金属のＤＣ漏洩を減少させる方法。
【請求項１１】  ４０ｐｐｍ〜２００ｐｐｍの炭素含有量および５ｐｐｍ〜２００ｐｐｍの鉄、ニッケル、およびクロム含有量を有する、ニオビウム粉末。
【請求項１２】  ＢＥＴ表面積が１．０ｍ2／ｇである時、４０〜２００ｐｐｍの炭素量、ニオビウム粉末のＢＥＴ表面積が２〜４．５ｍ2／ｇである時、２５０ｐｐｍ未満の炭素量、ニオビウム粉末のＢＥＴ表面積が１．０ｍ2／ｇである時、１００ｐｐｍ未満であるＦｅ／Ｎｉ／Ｃｒ合成量、ニオビウム粉末のＢＥＴ表面積が２．０ｍ2／ｇ〜４．５ｍ2／ｇである時、４００ｐｐｍ未満である合成量を有する、ニオビウム粉末。
【請求項１３】  請求項１１のニオビウム粉末を含む、コンデンサーアノード。
【請求項１４】  請求項１２のニオビウム粉末を含む、コンデンサーアノード。
【請求項１５】  前記液体溶媒が少なくとも一つの弗素化流体である、請求項１の方法。
【請求項１６】  少なくとも一つの弗素化流体の存在下において、金属粉末をウエット粉砕することを含む、フレーク化金属を製造する方法。
【請求項１７】  前記金属がバルブ金属である、請求項１６の方法。
【請求項１８】  前記金属がバルブ金属である、請求項７の方法。
【請求項１９】  高温度で、且つ少なくとも一つの液体溶媒の存在下においてバルブ金属チップを粉砕して、バルブ金属粉末を形成し、その後バルブ金属粉末を脱酸素にかけ、その後高温度で、且つ少なくとも一つの液体溶媒の存在下において、前記バルブ金属粉末の前記粉砕を継続することを含む、バルブ金属粉末を製造する方法。
【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】  Ｔ細胞エピトープを含んでいる問題とするポリペプチドの変異体であって、該変異体および該ポリペプチドが個体において異なった免疫原性応答を生み出すように、改変されたＴ細胞エピトープを持っていることにより問題とするポリペプチドと異なっている、変異体。
【請求項２】  変異体により生み出された免疫原性応答が、問題とするポリペプチドにより生み出された免疫原性応答よりも小さい、請求項１に記載の変異体。
【請求項３】  変異体により生み出された免疫原性応答が、問題とするポリペプチドにより生み出された免疫原性応答よりも大きい、請求項１に記載の変異体。
【請求項４】  問題とするポリペプチドが酵素、ホルモン、因子、ワクチンおよびサイトカインから成る群より選択される、請求項１に記載の変異体。
【請求項５】  問題とするポリペプチドが、個体により個体に対して内因性として認識されない、請求項１に記載の変異体。
【請求項６】  問題とするポリペプチドがリパーゼ、セルラーゼ、エンドグルコシダーゼＨ、プロテアーゼ、カルボヒドラーゼ、リダクターゼ、オキシダーゼ、イソメラーゼ、トランスフェラーゼ、キナーゼおよびホスファターゼから成る群より選択される酵素である、請求項１に記載の変異体。
【請求項７】  Ｔ細胞エピトープがアミノ酸置換により改変されている、請求項１に記載の変異体。
【請求項８】  Ｔ細胞エピトープが問題とするポリペプチドのホモログの対応する末端部分で置き換えられたＴ細胞エピトープを含んでいる、問題とするポリペプチドの末端部分を持っていることにより改変されており、但し、ホモログは、置き換えられたＴ細胞エピトープと同一のＴ細胞エピトープを含んでいない、請求項１に記載の変異体。
【請求項９】  変異体が、問題とするポリペプチドおよび結合されたホモログよりも少なくとも一つ少ないＴ細胞エピトープを含む、請求項８に記載の変異体。
【請求項１０】  変異体が、問題とするポリペプチドおよび結合されたホモログよりも少なくとも二つ少ないＴ細胞エピトープを含む、請求項８に記載の変異体。
【請求項１１】  請求項１の変異体をコードしている核酸。
【請求項１２】  請求項１１の核酸を含んでいる発現ベクター。
【請求項１３】  請求項１２の発現ベクターで形質転換された宿主細胞。
【請求項１４】  請求項６の変異体を含んでいる清浄組成物、動物飼料組成物、または織物を処理するための組成物。
【請求項１５】  さらに医薬として受容可能な担体を含んでいる、請求項１に記載の変異体。
【請求項１６】  同じ型の別の酵素と比較して、減少した免疫原性応答を生み出す、天然に存在する酵素を含んでいる清浄組成物、動物飼料組成物、または織物を処理するための組成物。
【請求項１７】  型がプロテアーゼである、請求項１６の組成物。
【請求項１８】  酵素がプロティナーゼＫである、請求項１６の組成物。
【請求項１９】  蛋白質により生み出される免疫原性応答を決定する方法であり：
（ａ）単一の血液源から、樹状細胞および天然のＣＤ４＋および／またはＣＤ８＋Ｔ細胞の溶液を得；
（ｂ）樹状細胞の該溶液中での分化を促進し；
（ｃ）分化した樹状細胞および天然のＣＤ４＋および／またはＣＤ８＋Ｔ細胞と該蛋白質を混合し；および
（ｄ）工程（ｃ）におけるＴ細胞の増殖を測定すること
から成る方法。
【請求項２０】  免疫原性応答を別の蛋白質と比較することをさらに含んでいる請求項１９に記載の方法。
【請求項２１】  蛋白質および別の蛋白質がお互いにホモログである、請求項２０に記載の方法。
【請求項２２】  蛋白質および別の蛋白質が各々プロテアーゼである、請求項２０に記載の方法。
【請求項２３】  蛋白質および別の蛋白質が各々、同じ蛋白質の異なったペプチドである、請求項２０に記載の方法。
【請求項２４】  問題とするポリペプチドの免疫原性を改変する方法であり；
ａ）該ポリペプチドの免疫原性を決定し；
ｂ）該ポリペプチド中のＴ細胞エピトープ同定し；および
ｃ）該ポリペプチドの免疫原性を改変するようにＴ細胞エピトープを改変すること
からなる方法。
【請求項２５】  Ｔ細胞エピトープが少なくとも一つのアミノ酸置換を持つことにより改変される、請求項２４に記載の方法。
【請求項２６】  アミノ酸置換が、Ｔ細胞エピトープをコードしている核酸を改変することにより行われる、請求項２５に記載の方法。
【請求項２７】  Ｔ細胞エピトープが、Ｔ細胞エピトープを含んでいる問題とするポリペプチドの一部分を、問題とするポリペプチドのホモログの対応する部分で置き換えることにより改変され、但し、対応する部分はＴ細胞エピトープを含んでいない、請求項２５に記載の方法。
【請求項２８】  部分がポリペプチドの末端部分である、請求項２７に記載の方法。
【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】
以下の段階を含む、構築ブロックを連続的に結合させることによってポリヌクレオチドを集合させる方法であって、それによってポリヌクレオチドが全体の集合順序に従って集合される方法：
（a）各ブロックが、前駆体鋳型配列の二本鎖亜配列を含む、複数の二本鎖DNA構築ブロックを提供する段階；
（b）第一のブロックを第二のブロックに順番にライゲーションするために、DNAリガーゼを提供する段階であって、ここで、ライゲーションの前に、第一のブロックと第二のブロックが、互換性のあるライゲーション可能末端を有し、かつ、ライゲーションの間第一のブロックと第二のブロックがそれぞれ二本鎖のままであり、
それによって集合を得る段階；
（c）引き続く別の段階において、前の段階で得られた集合に、引き続くブロックを順番にライゲーションするために、DNAリガーゼを提供する段階であって、ここで、ライゲーションの前に、集合と引き続くブロックが、互換性のあるライゲーション可能末端を有し、かつ、ライゲーションの間集合と引き続くブロックがそれぞれ二本鎖のままであり、
それによってさらに集合を得る段階；および、
（d）任意で段階（c）を繰り返す段階。
【請求項２】
各ブロックが、いずれの突出も含まない少なくとも2bpを含む、請求項1記載の方法。
【請求項３】
ブロックが、最大200bpの長さである、請求項1記載の方法。
【請求項４】
ブロックが、20〜100bpの長さである、請求項1記載の方法。
【請求項５】
縮重コドンのプールとしてブロックが提供される、請求項1記載の方法。
【請求項６】
段階（b）または（c）の少なくとも一つにおいて、互換性のあるライゲーション可能末端が、末端リン酸基を有する突出を有する、請求項1記載の方法。
【請求項７】
少なくとも2つの鋳型配列が相同領域を共有する、請求項1記載の方法。
【請求項８】
鋳型配列が、相同領域により規定される整列した境界点を共有し、それにより、ブロックの二本鎖亜配列が境界点によって示される、請求項7記載の方法。
【請求項９】
境界点が相同領域内にある、請求項8記載の方法。
【請求項１０】
鋳型配列が酵素をコードする、請求項1記載の方法。
【請求項１１】
ライゲーション段階がT4 DNAリガーゼを用いて実施される、請求項1記載の方法。
【請求項１２】
鋳型配列が境界点を有し、かつライゲーション段階の順番が、鋳型配列の境界点の順番に従う、請求項1記載の方法。
【請求項１３】
段階（b）の前に、第一のブロックが磁気ビーズ上に固定される、請求項1記載の方法。
【請求項１４】
段階（c）が少なくとも2回繰り返される、請求項1記載の方法。
【請求項１５】
ライゲーション段階（c）の前に、引き続くブロックが少なくとも１つの他のブロックにライゲーションし、それによって、段階（c）が引き続くブロックと他のブロックの組み合わせを、全体として、集合に結合する、請求項1記載の方法。
【請求項１６】
段階（c）が一度に3つ以上のブロックの組み合わせを結合する、請求項15記載の方法。
【請求項１７】
サイズ選択によってポリヌクレオチドを精製する段階をさらに含む、請求項1記載の方法。
【請求項１８】
所望の特性に対して集合をスクリーニングまたは選択する段階（e）をさらに含む、請求項1記載の方法。
【請求項１９】
集合を発現する段階（e1）をさらに含む、請求項1記載の方法。
【請求項２０】
集合を発現する段階から得られた発現産物をスクリーニングまたは選択する段階（e2）をさらに含む、請求項19記載の方法。
【請求項２１】
ブロックが、いずれの突出も含まない、各ヌクレオチドにおいて相補的な配列を含む、請求項1記載の方法。
【請求項２２】
段階（b）または（c）の少なくとも一つにおけるライゲーション可能末端が突出を有する、請求項1記載の方法。
【請求項２３】
突出が少なくとも1塩基である、請求項22記載の方法。
【請求項２４】
突出が少なくとも1〜5塩基である、請求項22記載の方法。
【請求項２５】
段階（a）の前に、前駆体鋳型配列の配列が分析される、請求項1記載の方法。
【請求項２６】
段階（a）の前に、全ての前駆体鋳型配列の配列が決定される、請求項1記載の方法。
【請求項２７】
ライゲーションしなかったブロックを除去するために、段階（a）、（b）、または（c）のいずれかの後に洗浄段階をさらに含む、請求項1記載の方法。
【請求項２８】
突出が、3または4塩基長である、請求項22記載の方法。
【請求項２９】
少なくとも１つのブロックが化学合成される、請求項1、3、4、11、14、15、24、または28のいずれか一項記載の方法。
【請求項３０】
少なくとも１つのブロックがポリメラーゼに基づく増幅法の実施によって提供される、請求項29記載の方法。
【請求項３１】
少なくとも１つのブロックがPCRの実施によって提供される、請求項29記載の方法。
【請求項３２】
ブロックの全体の集合順序がライゲーション可能末端によって特定される、請求項1、11、14、15、24、または28のいずれか一項記載の方法。
【請求項３３】
１つのライゲーション段階におけるライゲーション可能末端が、引き続くライゲーション段階における末端と互換性がない、請求項32記載の方法。
【請求項３４】
１つのライゲーション段階におけるライゲーション可能末端が、任意の他のライゲーション段階における末端と互換性がない、請求項32記載の方法。
【請求項３５】
鋳型配列が境界点を有し、それによってブロックの二本鎖亜配列が境界点によって示される、請求項1、4、5、10、11、12、14、15、18、19、22、24、または28のいずれか一項記載の方法
。
【請求項３６】
ブロックがキメラポリヌクレオチドを生産するように、段階（a）の前に鋳型配列を分析する段階を実施することによって、ブロックの設計が得られる、請求項35記載の方法。
【請求項３７】
設計が特異的なブロックである、請求項36記載の方法。
【請求項３８】
ブロックが複数の鋳型配列の亜配列を含む、請求項1、5、10、11、14、15、18、19、22、24、または28のいずれか一項記載の方法。
【請求項３９】
鋳型配列が関連遺伝子のファミリーをコードする、請求項38記載の方法。
【請求項４０】
キメラポリヌクレオチドが集合する、請求項38記載の方法。
【請求項４１】
複数の鋳型配列が整列した境界点を共有し、それにより、ブロックの二本鎖亜配列が境界点によって示される、請求項38記載の方法。
【手続補正書】
【提出日】平成19年10月25日(2007.10.25)
【手続補正１】
【補正対象書類名】明細書
【補正対象項目名】特許請求の範囲
【補正方法】変更
【補正の内容】
【特許請求の範囲】
【請求項１】  マンノース、フコース、フルクトース及びガラクトースと同じ速度で移動する中性糖と；フコースと同じ速度で移動する酸性糖と；グルコース及びフコースと同じ速度で移動するアミン糖とから本質的に成り、ガラクトース：フコース：グルコース：マンノースの糖比率が約１：２：３：６であるエキソ多糖を産生する単離細菌。
【請求項２】  ＡＴＣＣ  受託番号Ｎｏ．ＰＴＡ−２５００の性質を有する、請求項１記載の単離細菌。
【請求項３】  ＡＴＣＣ  Ｎｏ．ＰＴＡ−２５００として寄託された菌株である、請求項２記載の単離細菌。
【請求項４】  マンノース、フコース、フルクトース及びガラクトースと同じ速度で移動する中性糖と；フコースと同じ速度で移動する酸性糖と；グルコース及びフコースと同じ速度で移動するアミン糖とから本質的に成り、ガラクトース：フコース：グルコース：マンノースの糖比率が約１：２：３：６であるエキソ多糖。
【請求項５】  請求項２又は３に記載の細菌によって産生される、マンノース、フコース、フルクトース及びガラクトースと同じ速度で移動する中性糖と；フコースと同じ速度で移動する酸性糖と；グルコース及びフコースと同じ速度で移動するアミン糖とから本質的に成り、ガラクトース：フコース：グルコース：マンノースの糖比率が約１：２：３：６であるエキソ多糖。
【請求項６】  植物又は動物の生長のための栄養供給としての請求項４又は５に記載のエキソ多糖の使用。
【請求項７】血漿増量剤としての請求項４又は５に記載のエキソ多糖の使用。
【請求項８】  粘性調節剤、接着剤、充填剤、エキステンダー、増量剤、及び生物生長防止剤としての請求項４又は５に記載のエキソ多糖の使用。
【請求項９】  請求項４又は５に記載のエキソ多糖を含むバイオフィルム。
【請求項１０】  開放導管を塞いで表面下カットオフ壁を形成するため、表面下ライナーの保水能力を強化するため、又は圧縮土壌、半圧縮土壌若しくはゆるい土壌の保水能力を改良するための請求項９記載のバイオフィルムの使用。
【請求項１１】  栄養含有溶液中の請求項１〜３のいずれかに記載の細菌を標的層中に供給することによる浸透性地中層を塞ぐための方法。
【請求項１２】  請求項１〜３のいずれかに記載の細菌の成長及び発育を抑制する又はこのような細菌によるバイオフィルム産生を抑制するための方法であって、前記細菌にプロピオン酸又はその誘導体を含む組成物を接触させることを含む前記方法。
【請求項１３】  前記組成物が、２−（４−イソブチルフェニル）−プロピオン酸であるプロピオン酸誘導体を含む、請求項１２記載の方法。
【請求項１４】  ムコイド微生物の成長及び発育を抑制する又はムコイド微生物によるバイオフィルム産生を抑制するための方法であって、前記微生物にプロピオン酸又はその誘導体を含む組成物を接触させることを含む前記方法。
【請求項１５】  前記組成物が、２−（４−イソブチルフェニル）−プロピオン酸であるプロピオン酸誘導体を含む、請求項１４記載の方法。
【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  ホストの血液中における好ましくない分子の存在を一段階で減少させるための方法であって、
a)ホストから血液を抽出し；
b)抽出した血液を、囲まれた経路に沿って連続的或いは一時的に断続した流れの中で移動させ、ここで前記経路は該経路に沿って付着した、好ましくない分子に対する特定の固定化結合分子を有し、該結合分子はホストの血液中の好ましくない分子に対して結合可能であり、
c)血液をホストの内部循環系に戻し、
d) 前記通路内に複数の膜が存在し、該膜が前記経路に沿って膜の間に閉じ込め領域を形成する、
方法。
【請求項２】  前記の好ましくない分子は移植された器官もしくは組織中に存在する外来ドナー抗原に対する特定の抗体である請求項１の方法。
【請求項３】  前記の好ましくない分子はビリオンかその副粒子である請求項１の方法。
【請求項４】  前記の好ましくない分子は血液中に存在する抗体の過剰を含む疾患状態に関連する抗体である請求項１の方法。
【請求項５】  前記経路はフラットダイアライザ、半透膜、半透過性中空ファイバ、コイル、透析膜、血漿返還採血フィルタ及びそれらの組合せからなるグループから選択される請求項１の方法。
【請求項６】  前記経路は望ましくない分子の混合及び結合を強めるために、少なくとも部分的にくぼみが設けられ、或いはねじられ、さもなくば変形されている請求項５の方法。
【請求項７】  前記経路はニトロセルロース、セルロース、ナイロン、プラスチック、ゴム、ポリアクリルアミド、アガロース、ポリ（ビニルアルコール−エチレン共重合体）及びそれらの組合せからなるグループから選択された材料からなる請求項５の方法。
【請求項８】  前記特定の結合分子は抗原、抗体、抗−抗体、リガンド、受容体、それらの結合部分及びそれらの組合せから選択される請求項１の方法。
【請求項９】  前記抗原はＡ血液型抗原、Ｂ血液型抗原、タンパクＡ分子、タンパクＧ分子、大部分の組織適合複合分子、それらの結合部分、及びそれらの組合せからなるグループから選択される請求項８の方法。
【請求項１０】  前記抗原は化学的変形、共有結合、強イオン結合、水素結合及びリンカーの利用からなるグループから選択される方法によって、半透過性経路に沿って付着される請求項１の方法。
【請求項１１】  前記化学的変形は臭化シアン、過酸化水素、過酸化ナトリウム、エピクロロヒドリン、１，４−ブタンジオールジグリシドールエーテル、塩化シアヌリル、カルボニルジイミダゾール、置換された塩化スルホニル、及びフルオロメチルピリジニウム塩からなるグループから選択された化合物で処理することによってなされる請求項１０の方法。
【請求項１２】  前記抗原はアビジンもしくはビオチンリンカーによって、囲まれた経路に沿って付着される請求項１の方法。
【請求項１３】  前記特定の結合分子が半透過性中空ファイバの壁に付着した抗原である請求項5の方法。
【請求項１４】  前記中空ファイバは複数の囲まれた平行膜に連結されている請求項１３の方法。
【請求項１５】  前記複数の囲まれた平行膜は前記中空ファイバと直角に配置されている請求項１４の方法。
【請求項１６】  前記複数の囲まれた平行膜は前記中空ファイバの内部かつその長さに沿って長手方向で配置されている請求項１４の方法。
【請求項１７】  前記複数の平行膜には抗原が付着している請求項１４の方法。
【請求項１８】  血液は囲まれた経路に沿って容器の内外に動くものであり、前記容器は入口及び出口を除いて閉じられており、また前記容器は、
ａ）固定化結合パートナーを有するスラリーを有し、前記固定化結合パートナーがスラリー粒子に付着しており、
ｂ）少なくとも一つのフラットな半透膜を有し、該膜は流動血液から前記スラリーを隔てており、
前記血液成分は前記膜を通じてスラリーと交換できる請求項１の方法。
【請求項１９】  前記フラットな半透膜はニトロセルロース、セルロース、ナイロン、プラスチック、ポリアクリルアミド、アガロース、ポリ（ビニルアルコール−エチレン共重合体）及びゴムからなるグループから選択された材料から形成されている請求項１８の方法。
【請求項２０】  血液が流れる前記容器の部分に少なくとも一つの付加的な膜が存在しており、この付加的な膜は血液の流れに対して直角か或いは水平に配列されている請求項１８の方法。
【請求項２１】  好ましくない分子をほぼ含まない循環血液であって、前記分子は結合パートナーに対する特定或いは非特定結合が可能である循環血液。
【請求項２２】  前記好ましくない分子は抗Ａ血液タンパク及び抗Ｂ血液タンパク抗体である請求項２１の循環血液。
【請求項２３】  ホストの血液中における好ましくない分子の存在を一段階で減少させるための方法であって、
a)ホストから血液を抽出し；
b)抽出した血液を、囲まれた経路に沿って連続的或いは一時的に断続した流れの中で移動させ、ここで前記経路は該経路に沿って付着した、好ましくない分子に対する特定の固定化結合分子を有し、該結合分子はホストの血液中の好ましくない分子に対して結合可能であり、
c)血液をホストの内部循環系に戻し、
d)特定の結合分子は半透過性の中空ファイバの壁に付着した抗原であり、該中空ファイバが複数の囲まれた平行膜に連結されている特徴を更に有する、
方法。
【請求項２４】  ホストの血液中における好ましくない分子の存在を一段階で減少させるための方法であって、
a)ホストから血液を抽出し；
b)抽出した血液を、囲まれた経路に沿って連続的或いは一時的に断続した流れの中で移動させ、ここで前記経路は該経路に沿って付着した、好ましくない分子に対する特定の固定化結合分子を有し、該結合分子はホストの血液中の好ましくない分子に対して結合可能であり、
c)血液をホストの内部循環系に戻し、
d)特定の結合分子が、複数の囲まれた平行膜と連結されている半透過性の中空ファイバの壁に付着した抗原である特徴を更に有し、
e)前記段階d)が、結合パートナーに対する特定或いは非特定結合が可能である好ましくない分子をほぼ含まない血液を循環させることを含む、
方法。
【請求項２５】  前記好ましくない分子は抗A血液タンパク及び抗B血液タンパク抗体である請求項２４の方法。
【手続補正書】
【提出日】平成19年10月24日(2007.10.24)
【手続補正１】
【補正対象書類名】明細書
【補正対象項目名】特許請求の範囲
【補正方法】変更
【補正の内容】
【特許請求の範囲】
【請求項１】以下の（ア）乃至（エ）から選択される核酸分子；
（ア）配列表の配列番号１１又は配列番号１３に記載のヌクレオチド配列からなるＤＮＡとストリンジェントな条件下でハイブリダイゼーションし、且つ、スフィンゴシンキナーゼ２活性を有するポリペプチドをコードする核酸分子、
（イ）配列表の配列番号１１又は配列番号１３に記載のヌクレオチド配列と９０％以上相同なヌクレオチド配列からなり、且つ、スフィンゴシンキナーゼ２活性を有する蛋白質をコードする核酸分子、
（ウ）配列表の配列番号１２又は配列番号１４に記載のアミノ酸配列からなる蛋白質をコードする核酸分子、
（エ）配列表の配列番号１１又は配列番号１３に記載のヌクレオチド配列からなる核酸分子。
【請求項２】  ＤＮＡである請求項１記載の核酸分子。
【請求項３】  ベクター及び請求項２の核酸分子を含む組換えＤＮＡ構築物。
【請求項４】  前記ベクターが発現ベクターである請求項３記載の組換えＤＮＡ構築物。
【請求項５】  前記ベクターが原核生物ベクター、又は、新刊生物ベクターである請求項３又は４記載の組換えＤＮＡ構築物。
【請求項６】  請求項３乃至５のいずれかに記載の組換えＤＮＡ構築物で形質転換された宿主細胞。
【請求項７】  前記細胞が原核生物由来、又は、真核生物由来である請求項６の宿主細胞。
【請求項８】下記の（Ａ）又は（Ｂ）に記載のポリペプチド；
（Ａ）請求項１の核酸分子にコードされるアミノ酸配列からなるポリペプチド、（Ｂ）配列表の配列番号１２又は１４に記載のアミノ酸配列からなるポリペプチド。
【請求項９】  請求項６又は７に記載の宿主細胞を、請求項８に記載のポリペプチドが生産される条件下で培養することを含む請求項８に記載のポリペプチドの生産方法。
【請求項１０】  請求項８のポリペプチドを特異的に認識する抗体。
【請求項１１】  下記の工程からなるスフィンゴシンキナーゼタイプ２活性を抑制または促進する薬剤または医薬を検出する方法：
(a)請求項３乃至５のいずれか記載の組換えＤＮＡ構築物を細胞内に供給し、スフィンゴシンキナーゼタイプ２アイソフォームが該細胞内で生産されるようにする工程;
(b)該細胞に少なくとも一種類の医薬または薬剤を加える工程、及び
(c) 該細胞内の脂質のスフィンゴシンキナーゼ依存性のリン酸化を測定し、測定結果を該医薬または薬剤を入れていない対照と比較することにより、該医薬または薬剤がスフィンゴシンキナーゼタイプ２活性を抑制または促進するか否かを検出し、該対照と比較して脂質のスフィンゴシンキナーゼ依存性のリン酸化が減少する場合は、抑制する医薬または薬剤であるとし、該対象と比較して脂質のスフィンゴシンキナーゼ依存性のリン酸化が増加する場合は刺激性医薬または薬剤であるとする工程。
【請求項１２】  ヒト以外の哺乳動物に薬学的に有効な量の請求項８のポリペプチドを投与することを含む、哺乳動物において生物学的過程を調節する方法。
【請求項１３】  前記生物学的過程が、マイトジェネシス、アポトーシス、ニューロンの発生、化学走性、脈管形成及び炎症反応からなる群より選択される請求項１２の方法。
【請求項１４】  前記生物学的過程が、脈管形成である請求項１３の方法。
【請求項１５】  薬学的に有効な量の請求項８のポリペプチドを含有する、増加した細胞死または減少した細胞増殖に起因する疾病の治療剤。
【請求項１６】  薬学的に有効な量の請求項１０の抗体を含有する、減少した細胞死または増加した細胞増殖に起因する疾病の治療剤。
【請求項１７】  薬学的に有効な量の請求項１０の抗体を含有する、細胞の異常な移動もしくは運動性に起因する疾病の治療剤。
【請求項１８】  前記疾病が、癌、再狭窄又は糖尿病性神経障害である請求項１７の治療剤。
【請求項１９】  下記の工程を含む、試料中のスフィンゴシンキナーゼタイプ２アイソフォームの存在を検出する方法；
(i) 試料を請求項１０に記載の抗体と接触させる工程;及び
(ii)当該抗体と抗原の間で形成される抗原抗体複合体が存在するかしないかを検出する工程。
【請求項２０】  請求項１に記載の核酸分子、又は、当該核酸分子と相補的な配列からなる核酸分子、とハイブリダイズすることを特徴とする７乃至５００塩基からなるヌクレオチド。
【請求項２１】  ７乃至４０塩基からなるＰＣＲ用プライマーである、請求項２０に記載のヌクレオチド。
【請求項２２】  配列番号１３に記載のヌクレオチド配列中の連続した７乃至４０のヌクレオチドと相同又は相補的なヌクレオチド配列からなるＰＣＲ用プライマーである請求項２１に記載のヌクレオチド。
【請求項２３】  １０乃至５００のヌクレオチドからなるプローブである、請求項２０に記載のヌクレオチド。
【請求項２４】  配列番号１３に記載のヌクレオチド配列中の連続した１０乃至５００のヌクレオチドと相同、又は、相補的なヌクレオチド配列からなるプローブである請求項２３に記載のヌクレオチド。
【請求項２５】  請求項２０乃至２４に記載のヌクレオチドの内少なくとも一つのヌクレオチドと試料を接触させる工程を含むことからなる、試料中のスフィンゴシンキナーゼタイプ２アイソフォームをコードする核酸分子を検出する方法。
【請求項２６】  方法が、ポリメラーゼ連鎖反応、ノーザンハイブリダイゼーション、又は、ｉｎ  ｓｉｔｕハイブリダイゼーションである請求項２５に記載の方法。
【請求項２７】  請求項２０乃至２４に記載のヌクレオチドの内少なくとも一つのヌクレオチド及び付随的な試薬を含むキット。